(57)【要約】【課題】一指挿入部内に一指を確実に取り付けて歯茎や耳の掃除に万全である上、設けられた異なる一指挿入部で即座に同一人や他者に歯茎等の掃除を行える自在性に優れて便利なケア具を提供する。【解決手段】歯茎や耳を掃除するケア具であって、中空内部２に一本の指６を挿入可能な大きさで円筒状の一指挿入部３が複数設けられている指挿入本体５より成り、前記一指挿入部３への指６の挿入が自在な挿通スペース４が前記指挿入本体５に形成されている。【選択図】     図１
0003196237.tif 000002
【実用新案登録請求の範囲】
【請求項１】
歯茎や耳を掃除するケア具であって、中空内部に一本の指を挿入可能な大きさで円筒状の一指挿入部が複数設けられている指挿入本体より成り、前記一指挿入部への指の挿入が自在な挿通スペースが前記指挿入本体に形成された構成であることを特徴とするケア具。
【請求項２】
挿通スペースは長円形状又は花びら形状で、指挿入本体の中心部に形成されていることを特徴とする請求項１に記載したケア具。
【請求項３】
指挿入本体の中心部に形成された挿通スペースをはさんで、一指挿入部が直線状に２つ又は放射状に６つ設けられていることを特徴とする請求項１又は２に記載したケア具。
【請求項４】
指挿入本体は、ペーパータオル系素材により形成されていることを特徴とする請求項１〜３のいずれか１項に記載したケア具。
【請求項５】
指挿入本体の一指挿入部は、人差し指が挿入可能な大きさに形成されていることを特徴とする請求項１〜４のいずれか１項に記載したケア具。
【考案の詳細な説明】
【技術分野】
【０００１】
本考案は、風呂上りや就寝前又は食後等において、口腔内の歯茎を掃除したり、耳の掃除をするケア具の技術分野に関する。
【背景技術】
【０００２】
従来、口腔掃除用具として、例えば下記特許文献１（実用新案登録第３０６５８５０号）の技術が公知に属する。
【０００３】
すなわち、特許文献１には、「コットン、不織布または布からなる薄層の裏面に粘着剤を塗布し、粘着剤を剥離紙で保護した口腔清掃用指先バンにおいて、該指先バンは指の腹に粘着する本体部および略円形形状をしており該本体部の一端部に接続する頭部からなり、該頭部の略中心を指球に位置させると該頭部の先端部は指先から指の爪を蔽うとともに該頭部の両側部がそれぞれ指の爪の側部を蔽う大きさを有していることを特徴とする口腔清掃用の指先バン（請求項１）。」が開示されている。
【先行技術文献】
【特許文献】
【０００４】
【特許文献１】登録第３０６５８５０号実用新案公報
【考案の概要】
【考案が解決しようとする課題】
【０００５】
前記特許文献１に記載された考案に係る指先バンは、従前のものに比べ指から離脱しにくいかもしれないが、指先に取り付けて使用するものであって指全体を覆うものではないため未だ安定性に欠ける。また、一指に一つ当該指先バンを取り付けて使用するから、同一人や他者に続けて即座に歯茎等を清掃できるものでもない。
【０００６】
したがって、本考案が解決しようとする課題は、一指挿入部内に一指を確実に取り付けて歯茎や耳の掃除に万全である上、設けられた異なる一指挿入部で即座に同一人や他者に歯茎等の掃除を行える自在性に優れて便利なケア具を提供することにある。
【課題を解決するための手段】
【０００７】
上記課題を解決するための手段として、請求項１記載の考案は、歯茎や耳を掃除するケア具であって、中空内部２に一本の指６を挿入可能な大きさで円筒状の一指挿入部３が複数設けられている指挿入本体５より成り、前記一指挿入部３への指６の挿入が自在な挿通スペース４が前記指挿入本体５に形成された構成であることを特徴とする。
【０００８】
請求項２に記載した考案のケア具は、前記挿通スペース４が長円形状又は花びら形状で、指挿入本体５の中心部７に形成されていることを特徴とする。
【０００９】
請求項３に記載した考案のケア具は、前記指挿入本体５の中心部７に形成された挿通スペース４をはさんで、一指挿入部３・・・が直線状に２つ又は放射状に６つ設けられていることを特徴とする。
【００１０】
請求項４に記載した考案のケア具は、前記指挿入本体５が、ペーパータオル系素材により形成されていることを特徴とする。
【００１１】
請求項５に記載した考案のケア具は、前記指挿入本体５の一指挿入部３に関し、人差し指６が挿入可能な大きさに形成されていることを特徴とする。
【考案の効果】
【００１２】
本考案の請求項１に係るケア具は、中空内部に一本の指を挿入可能な大きさで円筒状の一指挿入部が複数設けられている指挿入本体より成り、一指挿入部への指の挿入が自在な挿通スペースが指挿入本体に形成されているので、一指挿入部内に人指し指（一指）をしっかり取り付けられ歯茎や耳を綺麗に掃除できて便利である。一指挿入部は、人差し指が挿入可能な大きさに形成されているので（請求項５）、歯茎等の掃除に適している人差し指をフィット感よく一指挿入部内に確実に挿入して精度よく掃除できる。
【００１３】
しかも、設けられた異なる一指挿入部にすぐに人差し指を入れ換えて挿入でき、同一人や他者に対して即座に歯茎等の掃除を引き続き行える自在性に優れている。
【００１４】
また、挿通スペースは長円形状又は花びら形状で、指挿入本体の中心部に形成されているから（請求項２）、当該挿通スペースを通じてスムーズに一指挿入部へ人指し指（一指）を挿入できる。一指挿入部に挿入した人指し指（一指）を引き抜く際も、この挿通スペースがあるので楽である。
【００１５】
さらに請求項３のように、指挿入本体の中心部に形成された挿通スペースをはさんで、一指挿入部が直線状に２つ設けられているので（図２）、使用時には、前記挿通スペースから人差し指を一指挿入部に挿入し、その人差し指の先端が一指挿入部の先端に到達した際、挿通スペースをはさんだ他の一指挿入部を残る４本の手指で握る（図１）。そうして、前記人差し指が挿通された一指挿入部で、歯茎を払拭して磨いたり耳掃除を確実に行うことができる。
【００１６】
歯茎等の掃除が一旦終ったら、当該人差し指が挿通された一指挿入部を洗浄した後、使用してない前記他方の一指挿入部に人差し指を入れ換え、その他方の一指挿入部でも前記と同様に使用することができる。その際、前記先に使用した一指挿入部は、手の後ろ（手の甲）に配置すれば清潔感の保持に寄与する。
【００１７】
また一指挿入部を洗浄することで繰り返し使用できる利便性にも優れている。
【００１８】
なお、この一指挿入部が直線状に２つ設けられているケア具は、清潔性が高度に要求される介護施設等での使用に適している。
【００１９】
次に、指挿入本体の中心部に形成された挿通スペースをはさんで、一指挿入部が放射状に６つ設けられている本ケア具（図５）によれば、特に家庭で要領よく継続使用できる。
【００２０】
この６本タイプのケア具の使用方法は、前記２本タイプと同様に、花びら状の挿通スペースからいずれか一つの一指挿入部に人差し指を挿入し、その人差し指の先端が一指挿入部の先端に到達した際、挿通スペースをはさんだ他の５本の一指挿入部を、残る４本の手指で握る（図６参照）。前記人差し指が挿通された一指挿入部で歯茎等の掃除が終ったら、当該人差し指が挿通された一指挿入部から人差し指を引き抜き、この使用済みの一指挿入部を基端部で切断するか洗浄して再利用に備える。よって、残った他の一指挿入部に人差し指を入れ換え前記と同様に使用することができる。
【００２１】
上記のようにこの６本タイプのケア具の場合、使用した一指挿入部を切断して廃棄し、他の一指挿入部を使用すれば清潔である。特にこの指挿入本体は、請求項４のようにペーパータオル系素材により形成されているため、一指挿入部の切断を容易に行えて扱い易い。
【図面の簡単な説明】
【００２２】
【図１】本考案のケア具の使用状態を示した斜視図である。
【００２３】
【図２】ケア具（指挿入本体）を示した正面図である。
【００２４】
【図３】Ａ、Ｂは図２の背面図と側面図である。
【００２５】
【図４】図２の平面図である。
【００２６】
【図５】６本タイプの指挿入本体のケア具を示した全体図である。
【００２７】
【図６】図５のケア具の使用状態を示した説明図である。
【考案を実施するための最良の形態】
【００２８】
本考案のケア具の好適な実施形態について、以下図面にしたがいながら説明する。
【００２９】
このケア具は、図２に全体構造を示したように、歯茎や耳を掃除するものであって、中空内部２に一本の指、通常人差し指６を挿入可能な大きさで円筒状の一指挿入部３が複数設けられている指挿入本体５より成る。
【００３０】
指挿入本体５の全長は約１７ｃｍであり、歯茎や耳への接触にやさしく汚れを取り除くのに適したペーパータオル系素材により形成されている。
【００３１】
図１〜図４に示した実施形態の場合、一指挿入部３は２本である。すなわち、前記一指挿入部３への人差し指６の挿入が自在な長円形状の挿通スペース４が、前記指挿入本体５の中心部７に形成されており、その挿通スペース４をはさんで、当該２本の一指挿入部３、３が直線状に設けられている（図２）。
【００３２】
したがって、使用時には、挿通スペース４から人差し指６を一方の一指挿入部３に挿入し、図１に示したように、人差し指６の先端が一指挿入部３の先端に到達したら、他方の一指挿入部３を残る手指で握って、人差し指６が挿通された一指挿入部３で歯茎等の掃除を行う。
【００３３】
その後、当該人差し指６が挿通された一指挿入部３を洗浄し、不使用の他方の一指挿入部３に人差し指６を入れ換えて同様に使用することができる。
【００３４】
次に、一指挿入部３が放射状に６つ設けられているタイプのケア具について説明する。
【００３５】
図５に図示したように、この６本タイプのケア具は、指挿入本体５の中心部７に形成された挿通スペース４の外周に、６本の一指挿入部３・・・が放射状に等間隔で設けられている。
【００３６】
その使用方法は、花びら状の挿通スペース４から、選択した一つの一指挿入部３に人差し指６を挿入し、その人差し指６の先端が当該一指挿入部３の先端に到達した際、他の５本の一指挿入部３・・・を、残る指で握る（図６、図１参照）。
【００３７】
歯茎等の掃除終了後、当該人差し指６が挿通された一指挿入部３から人差し指６を引き抜く。この使用済みの一指挿入部３は切断するか又は洗浄して再利用が可能である。未使用の他の一指挿入部３・・・は、人差し指６を入れ換えて同様に使用することができる。
【符号の説明】
【００３８】
２    中空内部
３    一指挿入部
４    挿入スペース
５    指挿入本体
６    指（人差し指）
７    中心部
【図１】
0003196237.tif 000003
【図２】
0003196237.tif 000004
【図３】
0003196237.tif 000005
【図４】
0003196237.tif 000006
【図５】
0003196237.tif 000007
【図６】
0003196237.tif 000008